(57)【要約】【課題】デザイン性を高めることができる成型部品のグリル部構造を提供する。【解決手段】無色透明の合成樹脂でフロントグリル１を形成し、開口部１３内に横桟２１を横設してグリル２２を形成する。横桟２１の表面部３１の上縁全域に上面部３２を形成し、表面部３１の下縁全域に下面部３３を形成する。横桟２１の両端部を開口部１３の開口縁部４１に連設し、表面部３１と上面部３２と下面部３３と開口縁部４１で包囲された裏面開口状の収容空間４２を形成する。上面部３２端面は付加部品６２を接合する為の上部接合面６３を構成し、下面部３３端面は付加部品６２を接合する為の下部接合面６４を構成する。これにより、横桟２１に灯体７２を備えた付加部品６２を取り付けた取付状態１０１と非取付状態１１１とを形成可能に構成する。【選択図】図２
2008174030.tif 000002
【特許請求の範囲】
【請求項１】
部品本体の開口部に横設された横桟が表面側を形成する表面部と該表面部の上縁より裏面側へ延出した上面部とを備えた成型部品のグリル部構造において、
前記横桟を透明性を有した樹脂で形成し、
前記横桟の前記上面部を前記表面部の全域に渡って形成するとともに、前記表面部の下縁に裏面側へ延出する下面部を全域に渡って形成し、
前記横桟の前記表面部の両端と前記上面部の両端と前記下面部の両端とを前記部品本体に連設して、前記横桟に前記表面部と前記上面部と前記下面部と前記部品本体とで包囲された裏面開口状の収容空間を形成する一方、
前記収容空間を裏面側に開口した裏面開口部を閉鎖する付加部品を接合する為の接合面を前記上面部の端面と前記下面部の端面とに形成し、前記付加部品に設けられた灯体を前記裏面開口部から前記収容空間内に挿入して当該付加部品を前記接合面に接合した取付状態と、前記付加部品を前記横桟に取り付けない非取付状態とを形成可能に構成したことを特徴とする成型部品のグリル部構造。
【請求項２】
前記部品本体をフロントグリルで構成する一方、
前記上面部に形成された前記接合面と前記下面部に形成された前記接合面とが接する仮想平面に対して前記横桟の前記表面部を傾斜するとともに、当該表面部を上方から下方へ向かうに従って表面側に傾斜する傾斜面で構成したことを特徴とする請求項１記載の成型部品のグリル部構造。
【発明の詳細な説明】
【技術分野】
【０００１】
本発明は、車両のフロントグリルやバンパーグリル等の成型部品のグリル部構造に関する。
【背景技術】
【０００２】
従来、車両には、図３に示すように、成型部品としてのフロントグリル８０１が設けられており、このフロントグリル８０１によってグリル８０２が形成されている。
【０００３】
すなわち、前記フロントグリル８０１には、開口部８１１が開設されており、該開口部８１１には、複数の横桟８１２，・・・が上下に間隔をおいて横設されている。
【０００４】
前記横桟８１２は、有色の合成樹脂によって形成されており、図３の（ｂ）に示すように、フロントグリル８０１の表面側を構成する表面部８２１と、該表面部８２１の上縁より裏面側へ延出した上面部８２２とを備えている。前記表面部８２１の下縁には、剛性を高める為に裏面側へ向けて折り返された折返し部８２３が形成されており、該折返し部８２３の形成範囲は、部材コストの都合上、最小限に抑えられている。
【０００５】
また、前記横桟８１２は、車両前方側に面する意匠面８３１が塗装されており、近年においては、金属色にメッキされる場合もある。これらの表面処理層８３２によってグリル部のデザイン性が高められている。
【発明の開示】
【発明が解決しようとする課題】
【０００６】
しかしながら、このような従来のグリル部構造にあっては、前記意匠面８３１のデザインが着色やメッキに限られてしまい、新たなデザインの要求が高まっている。
【０００７】
本発明は、このような従来の課題に鑑みてなされたものであり、デザイン性を高めることができる成型部品のグリル部構造を提供することを目的とするものである。
【課題を解決するための手段】
【０００８】
前記課題を解決するために本発明の請求項１の成型部品のグリル部構造にあっては、部品本体の開口部に横設された横桟が表面側を形成する表面部と該表面部の上縁より裏面側へ延出した上面部とを備えた成型部品のグリル部構造において、前記横桟を透明性を有した樹脂で形成し、前記横桟の前記上面部を前記表面部の全域に渡って形成するとともに、前記表面部の下縁に裏面側へ延出する下面部を全域に渡って形成し、前記横桟の前記表面部の両端と前記上面部の両端と前記下面部の両端とを前記部品本体に連設して、前記横桟に前記表面部と前記上面部と前記下面部と前記部品本体とで包囲された裏面開口状の収容空間を形成する一方、前記収容空間を裏面側に開口した裏面開口部を閉鎖する付加部品を接合する為の接合面を前記上面部の端面と前記下面部の端面とに形成し、前記付加部品に設けられた灯体を前記裏面開口部から前記収容空間内に挿入して当該付加部品を前記接合面に接合した取付状態と、前記付加部品を前記横桟に取り付けない非取付状態とを形成可能に構成した。
【０００９】
すなわち、前記横桟は、透明性を有する樹脂で形成されており、当該横桟には、前記表面部と前記上面部と前記下面部と前記部品本体とで包囲された裏面開口状の収容空間が形成されている。
【００１０】
そして、前記上面部の端面と前記下面部の端面とには、前記横桟の裏面開口部を閉鎖する付加部品を接合する為の接合面が形成されており、前記付加部品の灯体を前記収容空間内に挿入して当該付加部品を前記接合面に接合した取付状態と、前記付加部品を前記横桟に取り付けない非取付状態とを形成することができる。
【００１１】
このため、前記取付状態では、前記収容空間に収容された前記灯体を点灯することで、部品本体の開口部に横設された前記横桟を発光することができる。
【００１２】
一方、前記非取付状態では、前記部品本体の開口部に前記横桟が横設された通常のグリルが形成される。
【００１３】
このとき、前記横桟の意匠面を塗装することによって着色することができる。また、メッキを施すことによって金属色にすることができる。
【００１４】
また、請求項２の成型部品のグリル部構造においては、前記部品本体をフロントグリルで構成する一方、前記上面部に形成された前記接合面と前記下面部に形成された前記接合面とが接する仮想平面に対して前記横桟の前記表面部を傾斜するとともに、当該表面部を上方から下方へ向かうに従って表面側に傾斜する傾斜面で構成した。
【００１５】
すなわち、前記部品本体であるフロントグリルは、上方から見下ろされる。
【００１６】
このとき、前記横桟の前記表面部は、上方から下方へ向かうに従って表面側に傾斜する傾斜面で構成されており、当該表面部で構成される発光面は、斜め上方を向くこととなる。
【００１７】
また、前記表面部は、前記上面部に形成された前記接合面と前記下面部に形成された前記接合面とを結ぶ仮想平面に対して傾斜しており、前記接合面に前記付加部品を取り付けた状態において、前記灯体からの光は、前記表面部に対して斜めに入力される。
【発明の効果】
【００１８】
以上説明したように本発明の請求項１の成型部品のグリル部構造にあっては、前記横桟に前記付加部品を取り付けない非取付状態では、前記部品本体の前記開口部に前記横桟が横設された通常のグリルを形成することができる。
【００１９】
このとき、前記横桟の意匠面を塗装することで、着色されたグリルを構成することができる。また、前記横桟にメッキを施すことによって、金属色のグリルを構成することができる。
【００２０】
そして、前記横桟に前記付加部品を取り付けた取付状態を形成することで、前記部品本体の前記開口部に前記横桟が横設されてなる前記グリルを発光することができる。
【００２１】
このように、前述した部品本体を形成することで、自発光するグリルと、着色又はメッキされたグリルとを選択的に形成することができる。これにより、意匠面が着色又はメッキされたものに加えて、自発光する新たなデザインを形成することができ、デザイン性を向上することができる。
【００２２】
このとき、前記部品本体の形状は変更しない。このため、同一の金型で意匠面が着色又はメッキされた製品と自発光する製品とに対応することができ、製造コストや管理コストを抑えることができる。
【００２３】
また、請求項２の成型部品のグリル部構造においては、前記横桟の前記表面部を上方から下方へ向かうに従って表面側に傾斜する傾斜面で構成することで、当該表面部で構成される発光面を斜め上方へ向けることができる。
【００２４】
このとき、前記部品本体であるフロントグリルは上方から見下ろされる。このため、使用状態で目に付く前記表面部を発光することができ、垂直面が発光する場合と比較して、発光量を増大すること無く、発光状態を強調することができる。
【００２５】
そして、前記表面部は、前記上面部に形成された前記接合面と前記下面部に形成された前記接合面とが接する仮想平面に対して傾斜しており、前記接合面に前記付加部品を取り付けた状態において、前記灯体からの光を、前記表面部に対して斜めに入力することができる。
【００２６】
このため、前記灯体からの光を前記表面部に垂直に入力する場合と比較して、前記灯体からの光を拡散することができるため、前記表面部から前記灯体が見えてしまうといった不具合を解消することができ、外観品質を高めることができる。
【発明を実施するための最良の形態】
【００２７】
以下、本発明の一実施の形態を図に従って説明する。図１は、本実施の形態にかかる成型部品のグリル部構造を示す図であり、当該グリル部構造を成型部品としてのフロントグリル１に採用した例が示されている。
【００２８】
すなわち、このフロントグリル１は、通常、車両のフロントバンパー上側のラジエータの前部に取り付けられており、当該フロントグリル１は、無色透明の合成樹脂によって金型成型されている。このフロントグリル１の部品本体を構成するフロントグリル本体１１の前面１２には、車幅方向に延在する開口部１３が開設されており、通風性が確保されている。
【００２９】
この開口部１３内には、上下に離間して配置された複数の横桟２１，・・・が横設されており、各横桟２１，・・・は、フロントグリル本体１１に一体形成されている。これにより、当該フロントグリル１によってグリル２２が形成されている。
【００３０】
前記横桟２１は、図２に示すように、前記フロントグリル１の表面側を形成する表面部３１と、該表面部３１の上縁より裏面側へ延出した上面部３２と、前記表面部３１の下縁より裏面側へ延出した下面部３３とによって断面略コ字状に形成されている。前記上面部３２は、前記表面部３１の上縁全域に渡って形成されており、前記下面部３３も、前記表面部３１の下縁全域に渡って形成されている。
【００３１】
この横桟２１の前記表面部３１の左端部及び右端部と、前記上面部３２の左端部及び右端部と、前記下面部３３の左端部及び右端部とは、図１に示したように、前記開口部１３の開口縁部４１において当該フロントグリル本体１１に連設されており、当該横桟２１には、図２に示したように、前記表面部３１と前記上面部３２と前記下面部３３と前記フロントグリル本体１１の前記開口縁部４１とで包囲された裏面開口状の収容空間４２が形成されている。
【００３２】
前記上面部３２は、略水平な平面で構成されており、前記下面部３３には、中途部に段差部５１が形成されている。この下面部３３の幅寸法は、前記上面部３２の幅寸法よりやや幅広に形成されており、前記上面部３２及び前記下面部３３の裏面側の端面は、垂直に形成されている。前記上面部３２と前記下面部３３とは、裏面側の同位置まで延出しており、前記上面部３２の裏側の端面と前記下面部３３の裏側の端面とは、同一の仮想平面５２に面接するように構成されている。
【００３３】
前記横桟２１には、前記収容空間４２を裏面側に開口した裏面開口部６１を閉鎖する付加部品６２を取り付けられるように構成されており、前記上面部３２の裏面側の端面は、前記付加部品６２を接合する為の上部接合面６３を構成している。また、前記下面部３３の裏面側の端面は、前記付加部品６２を接合する為の下部接合面６４を構成しており、当該横桟２１の左端部及び右端部には、前記付加部品６２を接合する為の図外の側部接合面が形成され、各接合面６３，６４は前記仮想平面５２に面接するように構成されている。
【００３４】
前記付加部品６２は、前記横桟２１の全長に渡って延在する平板部材７１と、該平板部材７１の表面側に設けられた複数の灯体７２とによって構成されており、各灯体７２は、前記平板部材７１の長さ方向に間隔をおいて配置されている。この灯体７２は、電球や発光ダイオード等で構成されており、当該灯体７２に電力を供給する図外のハーネスは、前記平板部材７１の裏面側に延出するように構成されている。前記平板部材７１の周縁部には、一段低い被接合部７３が全周に渡って形成されており、該被接合部７３は、平坦面で構成されている。
【００３５】
これにより、図２の（ａ）に示したように、前記被接合部７３に接着剤８１を塗布した状態で、前記灯体７２を前記横桟２１の前記裏面開口部６１から前記収容空間４２内に挿入し、前記被接合部７３を前記横桟２１の前記各接合面６３，６４に圧接することで、前記被接合部７３を前記接着剤８１で前記各接合面６３，６４に接合しつつ防水シールできるように構成されており、当該付加部品６２を前記横桟２１に取り付けた取付状態１０１を形成できるように構成されている。この取付状態１０１において、前記付加部品６２は、前記平板部材７１の全周が前記横桟２１に接着され、前記収容空間４２内への水密性を確保できるように構成されている。
【００３６】
また、前記横桟２１は、図２の（ｂ）に示すように、前記付加部品６２を取り付けない非取付状態１１１も形成可能であり、当該横桟２１に前記付加部品６２を取り付けた前記取付状態１０１と前記非取付状態１１１とを、仕様に応じて選択的に形成できるように構成されている。
【００３７】
前記横桟２１の前記表面部３１は、前記上面部３２に形成された前記上部接合面６３と前記下面部３３に形成された前記下部接合面６４とに接する前記仮想平面５２に対して傾斜するように構成されており、当該表面部３１は、上方から下方へ向かうに従って表面側に傾斜した傾斜面で構成されている。
【００３８】
以上の構成にかかる本実施の形態において、前記横桟２１は、透明性を有する樹脂で形成されており、当該横桟２１には、前記表面部３１と前記上面部３２と前記下面部３３と前記フロントグリル本体１１の前記開口縁部４１とで包囲された裏面開口状の収容空間４２が形成されている。
【００３９】
そして、前記上面部３２の端面と前記下面部３３の端面とには、前記横桟２１の裏面開口部６１を閉鎖する付加部品６２を接合する為の上部及び下部接合面６３，６４が形成されており、前記付加部品６２の灯体７２を前記収容空間４２内に挿入して当該付加部品６２を前記各接合面６３，６４に接合した取付状態１０１と、前記付加部品６２を前記横桟２１に取り付けない非取付状態１１１とを形成することができる。
【００４０】
このため、前記横桟２１に前記付加部品６２を取り付けない前記非取付状態１１１では、前記フロントグリル本体１１の前記開口部１３に前記横桟２１，・・・が横設された通常のグリル２２を形成することができる。
【００４１】
このとき、図２の（ｂ）に示したように、前記フロントグリル１の正面側に露出する前記横桟２１の意匠面１２１を塗装して当該意匠面１２１に表面処理層１２２を形成することで、着色されたグリル２２を構成することができる。また、前記横桟２１の前記意匠面１２１にメッキを施して当該意匠面１２１に表面処理層１２２を形成することによって、金属色のグリル２２を構成することができる。
【００４２】
一方、前記横桟２１に前記付加部品６２を取り付けた前記取付状態１０１を形成することで、前記フロントグリル本体１１の前記開口部１３に前記横桟２１，・・・が横設されてなる前記グリル２２を、前記横桟２１，・・・を透過する前記灯体７２からの光によって発光させることができる。
【００４３】
このように、前述したフロントグリル本体１１を形成することで、自発光するグリル２２と、着色又はメッキされたグリル２２とを選択的に形成することができる。これにより、前記意匠面１２１が着色又はメッキされたグリル２２に加えて、自発光する新たなデザインのグリル２２を形成することができ、デザイン性の向上を図ることができる。
【００４４】
このとき、前記フロントグリル本体１１の形状は変更しない。このため、同一の金型によって、前記意匠面１２１が着色又はメッキされたグリル２２の仕様と、自発光するグリル２２の仕様とに対応することができ、製造コストや管理コストを抑えることができる。
【００４５】
そして、本実施の形態の対象物は、フロントグリル１であり、当該フロントグリル１が構成するグリル２２は、上方から見下ろされる。
【００４６】
このとき、前記横桟２１，・・・の前記表面部３１は、上方から下方へ向かうに従って表面側に傾斜する傾斜面で構成されており、当該表面部３１で構成される発光面を、斜め上方に向けることができる。
【００４７】
このため、使用状態で目に付く前記表面部３１を発光することができ、垂直面が発光する場合と比較して、発光量を増大すること無く、発光状態を強調することができる。これにより、前記灯体７２による消費電力を抑えることができる。
【００４８】
また、前記表面部３１は、前記上面部３２に形成された前記上部接合面６３と前記下面部３３に形成された前記下部接合面６４とが接する仮想平面５２に対して傾斜しており、前記各接合面６３，６４に前記付加部品６２の前記平板部材７１を取り付けた状態において、前記灯体７２からの光を、前記表面部３１に対して斜めに入力することができる。
【００４９】
これにより、前記灯体７２からの光を前記表面部３１に垂直に入力する場合と比較して、前記灯体７２からの光を前記表面部３１にて拡散することができる。このため、該表面部３１から発光状態にある前記灯体７２が見えてしまうといった不具合を解消することができ、外観品質を高めることができる。
【００５０】
なお、本実施の形態にあっては、フロントグリル１の開口部１３に横桟２１，・・・を横設してグリル２２を形成した場合を例に挙げて説明したが、これに限定されるものではなく、他の成型部品の開口部に前記横桟２１を横設してグリル部を構成しても良い。
【図面の簡単な説明】
【００５１】
【図１】本発明の一実施の形態を示す斜視図である。
【図２】同実施の形態の横桟を示す断面図で、（ａ）は取付状態を示す図であり、（ｂ）は非取付状態を示す図である。
【図３】（ａ）は従来のフロントグリルを示す図であり、（ｂ）は（ａ）のＡ−Ａ線断面に相当する図である。
【符号の説明】
【００５２】
１    フロントグリル
１１    フロントグリル本体
１３    開口部
２１    横桟
２２    グリル
３１    表面部
３２    上面部
３３    下面部
４２    収容空間
５２    仮想平面
６１    裏面開口部
６２    付加部品
６３    上部接合部
６４    下部接合部
７２    灯体
１０１    取付状態
１１１    非取付状態
１２１    意匠面
１２２    表面処理層
【図１】
2008174030.tif 000003
【図２】
2008174030.tif 000004
【図３】
2008174030.tif 000005